(57)【要約】【課題】異物の進入を確実に防止できるとともに、反応観察対象となる反応室を確実に確認し、反応観察位置に位置決めできるＤＮＡチップ反応容器およびＤＮＡチップ読み取り装置を提供する。【解決手段】複数の反応部４ａ〜４ｄを有するＤＮＡチップ４の反応部４ａ〜４ｄを個別に収容する、それぞれ開口部３０１ａ〜３０１ｄを有する複数の反応室３ａ〜３ｄのうち反応観察対象でない反応室３ａ〜３ｄの開口部３０１ａ〜３０１ｄをカバー部５ｂを有するキャップ５を取り付ける。【選択図】　　図２
2004020281.tif 000002
【特許請求の範囲】
【請求項１】
反応部を有するＤＮＡチップと、
前記反応部を個別に収容する、それぞれ開口部を有する反応室と、
前記反応室のうち反応観察対象でない前記反応室の開口部を覆うように設けられる保護カバーと
を具備したことを特徴とするＤＮＡチップ反応容器。
【請求項２】
前記保護カバーは、前記開口部に嵌合される嵌合部と、この嵌合部より大きい外径を有する鍔状のカバー部を有し、前記嵌合部が前記開口部に嵌合された状態で、前記カバー部により前記開口部を覆うことを特徴とする請求項１記載のＤＮＡチップ反応容器。
【請求項３】
前記保護カバーは、短冊状部材からなり、前記反応室の開口部を覆うように貼り付けられることを特徴とする請求項１記載のＤＮＡチップ反応容器。
【請求項４】
複数の反応部を有するＤＮＡチップと、
前記反応部を個別に収容する、それぞれ開口部を有する複数の反応室を備えるとともに、これら反応室のうち反応観察対象でない反応室の開口部を覆うように保護カバーを設けた反応容器と、
前記反応容器を移動可能に設け、該反応容器の移動により前記反応室を反応観察位置に移動させる移動手段と、
前記反応容器の前記反応室への前記保護カバーの有無を検出する検出手段と、を具備し、
前記検出手段の検出結果に応じて反応観察対象の反応室を前記反応観察位置に位置決めすることを特徴とするＤＮＡチップ読み取り装置。
【発明の詳細な説明】
【０００１】
【発明の属する技術分野】
本発明は、遺伝子の発現レベルおよび突然変異の有無を検出するＤＮＡ（ｄｅｏｘｙｒｉｂｏｎｕｃｌｅｉｃ　ａｃｉｄ：デオキシリボ核酸）チップ反応容器およびＤＮＡチップ読み取り装置に関するものである。
【０００２】
【従来の技術】
ＤＮＡチップとは、スライドガラス等の基板上に数百から数万種類のＤＮＡを数平方センチメ−トルの範囲に整列、固相化したもので、一般に、このようなＤＮＡチップを用いた反応経過や結果の測定は、蛍光標識ＤＮＡプローブとのハイブリダイゼ−ション法を用い、ハイブリダイズしたＤＮＡスポットの蛍光シグナル強度を検出するようにしている。
【０００３】
例えば、特表２０００−５１５２５１号公報は、このようなＤＮＡチップの具体例を開示するもので、基板に多孔質支持体が設けられ、これにプローブのＤＮＡが固相化されている。そして、この多孔質支持体の内部を蛍光標識されたＤＮＡを含む溶液をポンプにより行き来させることより、高効率かつ高速なハイブリダイズ反応を得られるようにしている。
【０００４】
図１０は、このようなハイブリダイズ反応を利用してＤＮＡチップの反応過程や結果を効率よく観察するための複数の（例えば４ヶ所）の反応部を有するＤＮＡチップ反応容器およびＤＮＡチップ読み取り装置の一例を示すもので、個別に区分けされた上方を開口した複数（図示例では４個）の反応室１０２ａ、１０２ｂ、１０２ｃ、１０２ｄを有する反応容器１０２がＸ方向（図示矢印方向）に移動可能なステージ１０３上に載置されている。また、反応容器１０２の各反応室１０２ａ、１０２ｂ、１０２ｃ、１０２ｄには、それぞれ配管（図示しない）を介して各別にポンプ（図示しない）が接続されている。
【０００５】
このような装置による反応過程や結果の読み取りなどの観察は、まずステージ１０３を移動させて操作しやすい位置まで反応容器１０２を引き出し、反応室１０２ａ、１０２ｂ、１０２ｃ、１０２ｄのうち、反応観察対象となる反応室、例えば反応室１０２ｂに、ピペット等を用いて検体を滴下する。
【０００６】
次に、この反応室１０２ｂを、ステージ１０３の移動により反応観察位置、ここでは蛍光検出ユニット１００の対物レンズ１０１の光軸上に移動させるとともに、反応室１０２ｂに接続されたポンプをコントロールし、反応室１０２ｂ中のプローブ溶液に流動を与えながら、蛍光検出ユニット１００によりＤＮＡチップの反応過程や結果の読み取りを行うようにしている。
【０００７】
【発明が解決しようとする課題】
ところが、このような構成によると、反応容器１０２は、各反応室１０２ａ、１０２ｂ、１０２ｃ、１０２ｄの上方が全て開口しているため、例えば、周囲に浮遊するゴミなどの異物が反応室１０２ａ、１０２ｂ、１０２ｃ、１０２ｄに入り込み易く、また、ピペット等を用いて所定の反応室に検体を滴下する際に、飛散した多少の検体が隣接する反応室内に入り込むこともあり、これらの原因が、ＤＮＡチップの反応過程や結果の読み取りなどに大きな影響を与えるという問題を生じる。
【０００８】
また、このようなＤＮＡチップ読み取り装置は、微弱な蛍光を観察するため、周囲の光に影響されない遮光された箱体の中に収容される。このため、このような箱体中に反応容器１０２を収容した後は、検体を供給した反応室（反応観察対象の反応室）を外部から確認するのが困難である。このことは、例えば、複数個ある反応室１０２ａ、１０２ｂ、１０２ｃ、１０２ｄから、検体を供給した反応室１０２ｂを観察するような場合は、反応観察対象となる反応室１０２ｂの位置情報をあらかじめ何らかの方法で記憶しておき、この位置情報に基づいてステージ１０３の移動量を制御するなど繁雑な作業を必要とするという問題があった。
【０００９】
本発明は、上記事情に鑑みてなされたもので、異物の進入を確実に防止できるとともに、反応観察対象となる反応室を確実に確認して反応観察位置に位置決めさせることができるＤＮＡチップ反応容器およびＤＮＡチップ読み取り装置を提供することを目的とする。
【００１０】
【課題を解決するための手段】
請求項１記載の発明は、反応部を有するＤＮＡチップと、前記反応部を個別に収容する、それぞれ開口部を有する複数の反応室と、前記反応室のうち反応観察対象でない前記反応室の開口部を覆うように設けられる保護カバーとを具備したことを特徴としている。
【００１１】
請求項２記載の発明は、請求項１記載の発明において、前記保護カバーは、前記開口部に嵌合される嵌合部と、この嵌合部より大きい外径を有する鍔状のカバー部を有し、前記嵌合部が前記開口部に嵌合された状態で、前記カバー部により前記開口部を覆うことを特徴としている。
【００１２】
請求項３記載の発明は、請求項１記載の発明において、前記保護カバーは、短冊状部材からなり、前記反応室の開口部を覆うように貼り付けられることを特徴としている。
【００１３】
請求項４記載の発明は、複数の反応部を有するＤＮＡチップと、前記反応部を個別に収容する、それぞれ開口部を有する複数の反応室を備えるとともに、これら反応室のうち反応観察対象でない反応室の開口部を覆うように保護カバーを設けた反応容器と、前記反応容器を移動可能に設け、該反応容器の移動により前記反応室を反応観察位置に移動させる移動手段と、前記反応容器の前記反応室への前記保護カバーの有無を検出する検出手段と、を具備し、前記検出手段の検出結果に応じて反応観察対象の反応室を前記反応観察位置に位置決めすることを特徴としている。
【００１４】
この結果、本発明によれば、反応容器に保護カバーが設けられることで、異物の進入を確実に防止できるとともに、反応観察対象となる反応室を確認できるとともに、反応観察位置に正確に位置決めすることができる。
【００１５】
【発明の実施の形態】
以下、本発明の実施の形態を図面に従い説明する。
【００１６】
図１は、本発明の第１の実施の形態が適用されるＤＮＡチップ反応容器およびＤＮＡチップ読み取り装置の概略構成を示している。
【００１７】
図において、１は移動手段としてのステージで、このステージ１は、固定板１ａ上にＹ軸方向に移動可能なＹ移動板１ｂ、このＹ移動板１ｂ上にＸ軸方向に移動可能なＸ移動板１ｃをそれぞれ有し、これらＹ移動板１ｂおよびＸ移動板１ｃにより、Ｘ−Ｙ軸方向の移動を可能にしている。
【００１８】
ステージ１のＸ移動板１ｃ上には、反応容器２が載置されている。この反応容器２は、図２および図３に示すように直方体形状の上板２０１と下板２０２を重ねて構成されるものである。上板２０１には、複数（図示例では４個）の円筒状の孔部２０１ａ、２０１ｂ、２０１ｃ、２０１ｄが長手方向に沿って一列に形成されている。また、下板２０２には、孔部２０１ａ、２０１ｂ、２０１ｃ、２０１ｄに対応する位置に円筒状の孔部２０２ａ、２０２ｂ、２０２ｃ、２０２ｄが長手方向に沿って一列に形成されている。そして、これら上板２０１と下板２０２を重ね合わせることで、複数（図示例では４個）の反応室３ａ、３ｂ、３ｃ、３ｄが形成されている。
【００１９】
これら反応室３ａ、３ｂ、３ｃ、３ｄを構成する上板２０１側の孔部２０１ａ、２０１ｂ、２０１ｃ、２０１ｄの上部には、蛍光検出ユニット６により後述する反応部４ａ、４ｂ、４ｃ、４ｄの反応経過や結果を観察するための開口部３０１ａ、３０１ｂ、３０１ｃ、３０１ｄが形成されている。また、下板２０２側の各孔部２０２ａ、２０２ｂ、２０２ｃ、２０２ｄ内の側面には、反応容器２の前側面まで導出される接続口３０２ａ、３０２ｂ、３０２ｃ、３０２ｄが形成されている。この接続口３０２ａ、３０２ｂ、３０２ｃ、３０２ｄには、図示しないポンプが接続され、このポンプにより各反応室３ａ、３ｂ、３ｃ、３ｄ中のプロ−ブ溶液に流動が与えられるようになっている。
【００２０】
反応室３ａ、３ｂ、３ｃ、３ｄの開口部３０１ａ、３０１ｂ、３０１ｃ、３０１ｄには、保護カバーとしてのキャップ５が着脱可能に設けられている。なお、通常、使用前の反応室３ａ、３ｂ、３ｃ、３ｄには、すべてキャップ５が取り付けられている。そして、図示のように、例えば反応室３ｂを反応観察対象として使用するような場合に、この反応室３ｂの開口部３０１ｂに取り付けたキャップ５を取り外すようにする。
【００２１】
キャップ５は、図４に示すように開口部３０１ａ〜３０１ｄの内径とほぼ一致した外径を有する筒状の嵌合部５ａと、この嵌合部５ａより若干大きめの外径を有する鍔状のカバー部５ｂを有するもので、嵌合部５ａを開口部３０１ａ（〜３０１ｄ）に嵌め合わせた状態で、開口部３０１ａ（〜３０１ｄ）の上面をカバー部５ｂで覆うようになっている。また、キャップ５は、カバー部５ｂの周面にセンサ検出面５ｃが形成されている。このセンサ検出面５ｃは、後述する光ファイバセンサ９からの光を反射するようになっている。この場合、センサ検出面５ｃは、カバー部５ｂ周面を平らに加工して良好な光の反射を得られるようにしてもよいし、反射の良好な部材を貼り付けるようにしてもよい。
【００２２】
反応室３ａ、３ｂ、３ｃ、３ｄには、ＤＮＡチップ４の反応部４ａ、４ｂ、４ｃ、４ｄが収納されている。この場合、ＤＮＡチップ４は、例えば１０ｍｍ×４０ｍｍ程度の基板上に９ｍｍピッチで、合計４ヶ所に直径５ｍｍ程度の反応部４ａ、４ｂ、４ｃ、４ｄを形成したもので、このようなＤＮＡチップ４を図３に示すように上板２０１と下板２０２の間に挟み込むことで、各反応部４ａ、４ｂ、４ｃ、４ｄが各別に反応室３ａ、３ｂ、３ｃ、３ｄ内部に収容されるようになっている。
【００２３】
そして、このように構成された反応容器２は、図１に示すように各反応室３ａ、３ｂ、３ｃ、３ｄがＸ軸方向に沿って一列に配置されるようにステージ１のＸ移動板１ｃ上に載置されている。
【００２４】
ステージ１の上方には、蛍光検出ユニット６が設けられている。この蛍光検出ユニット６は、対物レンズ７を有するもので、ステージ１を移動させて、対物レンズ７の光軸７ａ上（反応観察位置）に各反応室３ａ、３ｂ、３ｃ、３ｄの反応部４ａ、４ｂ、４ｃ、４ｄを位置させることで、反応経過や結果の読み取りができるようになっている。この場合、対物レンズ７の光軸７ａ上に位置された反応室ａ、３ｂ、３ｃ、３ｄは、演算ユニット８により制御されるポンプ（図示せず）によりプロ−ブ溶液に流動が与えられ、この状態で、対物レンズ７を介して蛍光検出ユニット６により反応部４ａ、４ｂ、４ｃ、４ｄの反応経過や結果の読み取りが行われる。
【００２５】
ステージ１には、キャップ５の有無を検出する検出手段（センサ）として反射型の光ファイバセンサ９が配置されている。この光ファイバセンサ９は、センサ本体９ａと、このセンサ本体９ａを保持する保持具９ｂからなっている。
【００２６】
センサ本体９ａは、反応室３ａ、３ｂ、３ｃ、３ｄに取り付けられるキャップ５のカバー部５ｂ周面のセンサ検出面５ｃに対し光を照射するとともに、センサ検出面５ｃからの反射光を受光するようにしたもので、この反射光の有無によりキャップ５の有無を検出するようにしている。
【００２７】
保持具９ｂは、センサ本体９ａをステージ１のＹ移動板１ｂの側面に保持するもので、Ｘ移動板１ｃの移動にともない対物レンズ７の光軸７ａ上に順に位置される反応室３ａ、３ｂ、３ｃ、３ｄのキャップ５のカバー部５ｂ周面のセンサ検出面５ｃに光ファイバセンサ９からの光を正確に照射させ、センサ検出面５ｃからの反射光を光ファイバセンサ９に正確に受光させるように、センサ本体９ａの取付方向、位置を調整可能にしている。
【００２８】
光ファイバセンサ９には、センサ制御ユニット１０が接続されている。センサ制御ユニット１０は、光ファイバセンサ９の動作を制御するもので、光ファイバセンサ９により検出された対物レンズ７の光軸７ａ上にある反応室３ａ（〜３ｄ）のキャップ５の有無の結果を演算ユニット８に出力する。
【００２９】
演算ユニット８には、モータコントローラ１１が接続されている。このモータコントローラ１１には、Ｙ移動板駆動用モータ１２およびＸ移動板駆動用モータ１３が接続されている。Ｙ移動板駆動用モータ１２は、ステージ１のＹ移動板１ｂをＹ軸方向に駆動するものである。また、Ｘ移動板駆動用モータ１３は、ステージ１のＸ移動板１ｃをＸ軸方向に駆動するものである。
【００３０】
また、モータコントローラ１１は、光ファイバセンサ９の検出結果により演算ユニット８が、対物レンズ７の光軸７ａ上に位置している反応室３ａ（〜３ｄ）にキャップ５が取り付けられていると判断したときは、Ｘ移動板１ｃのＸ軸方向の移動を続けて、次の反応室３ａ（〜３ｄ）を対物レンズ７の光軸７ａ上に位置させ、また、演算ユニット８が、光軸７ａ上に位置している反応室３ａ（〜３ｄ）にキャップ５が取り付けられていないと判断したときは、直ちにＸ移動板駆動用モータ１３によるＸ移動板１ｃの移動を停止するようになっている。
【００３１】
このような装置による反応過程や結果の読み取りは、まず、ステージ１を移動させて操作しやすい位置まで反応容器２を引き出し、読み取りに使用する反応室（図示例では反応室３ｂのキャップ５を取り外し、反応部４ｂ上にピペット等を用いて必要な量の検体１４を滴下する。
【００３２】
この状態で、Ｘ移動板駆動用モータ１３によりステージ１のＸ移動板１ｃをＸ軸方向に駆動して、反応室３ａ、３ｂ、３ｃ、３ｄを順に対物レンズ７の光軸７ａ上に位置させる。
【００３３】
いま、図５（ａ）に示すように反応室３ａが対物レンズ７の光軸７ａ上に位置された場合、ここでの反応室３ａには、キャップ５が取り付けられている。これにより、光ファイバセンサ９のセンサ本体９ａから出射される光ａは、キャップ５のカバー部５ｂ周面のセンサ検出面５ｃで反射され、この反射光ａ’がセンサ本体９ａで受光される。
【００３４】
このときの光ファイバセンサ９の検出結果により演算ユニット８は、対物レンズ７の光軸７ａ上の反応室３ａにキャップ５が取り付けられていると判断し、モータコントローラ１１に指示してＸ移動板駆動用モータ１３によりＸ移動板１ｃのＸ軸方向の移動を続け、次の反応室３ｂを対物レンズ７の光軸７ａ上に位置させる。
【００３５】
この状態が、図５（ｂ）である。この場合は、対物レンズ７の光軸７ａ上に位置された反応室３ｂには、キャップ５が取り付けられていない。これにより、光ファイバセンサ９のセンサ本体９ａから出射される光ａは、そのまま直進し、反射光が受光されることがない。
【００３６】
このときの光ファイバセンサ９の検出結果により演算ユニット８は、対物レンズ７の光軸７ａ上の反応室３ｂにキャップ５が取り付けられていないと判断し、直ちにモータコントローラ１１に指示してＸ移動板駆動用モータ１３によるＸ移動板１ｃの移動を停止させる。
【００３７】
この状態で、反応室３ｂの接続口３０２ｂに接続された配管を介してポンプをコントロールし、反応室３ｂ中のプローブ溶液に流動を与えながら、蛍光検出ユニット６によりＤＮＡチップの反応過程や結果の読み取りなどが行われる。
【００３８】
従って、このようにすれば、ＤＮＡチップの反応過程や結果の読み取りを行う反応観察対象の反応室３ｂのキャップ５を取り外し、その他の反応室３ａ、３ｃ、３ｄについてはキャップ５を取り付けるようにしたので、これらキャップ５の有無を判断することにより、反応観察対象となる反応室３ｂのみを速やかに対物レンズ７の光軸７ａ上（反応観察位置）に位置決めすることができる。
【００３９】
このことは、例えば、何らかの操作ミスにより、反応観察対象でない反応室が対物レンズ７の光軸上に停止されたような場合は、キャップ５が取り付けられていることで、センサ検出面５ｃでの反射光がセンサ本体９ａで受光され、演算ユニット８に、異常が伝えられるため、操作停止や異常動作回避行動をとることが可能となる。
【００４０】
また、反応観察対象でない反応室３ａ、３ｃ、３ｄについては、キャップ５が取り付けられているので、周囲に浮遊するゴミなどの異物が不用意に、これら反応室３ａ、３ｃ、３ｄに入り込むのを防止でき、また、ピペット等を用いて所定の反応室に検体を滴下する際に、飛散した多少の検体が隣接する反応室内に入り込むことも防止できる。
【００４１】
また、このようなＤＮＡチップ読み取り装置は、微弱な蛍光を観察するため、周囲の光に影響されない遮光された箱体の中に収容され、この箱体中に収容した後は、検体を供給した反応室を外部から確認するのが困難になるが、このような場合も、反応室３ａ、３ｂ、３ｃ、３ｄへのキャップ５の取付の有無により反応観察対象となる反応室を確実に確認することができるので、反応観察対象となる反応室を対物レンズ７の光軸７ａ上（反応観察位置）に正確に位置決めすることもできる。
【００４２】
なお、キャップ５の材質は、特に制限するものでなく、一般的な材料であるテフロン等の樹脂やアルミニウム等の金属などを用いることができる。また、キャップ５の取り付けば、嵌合だけでなく、ネジ締めにすることもできる。こうすれば、取付が、より確実にできることになる。また、キャップ５のセンサ検出面５ｃは、検出手段（センサ）の種類によっては特に特殊な加工を必要としない場合もあり、反射率や透過率の違いにより有無の検出ができるようであれば特に制限はない。さらに、検出手段（センサ）に関しても必ずしも反射型である必要はなく、読み取り装置の構成や形状により適宜選択しても構わない。
【００４３】
（第２の実施の形態）
次に、本発明の第２の実施の形態を説明する。
【００４４】
図６は、第２の実施の形態に用いられる反応容器の概略構成を示すもので、図２と同一部分には、同符号を付している。
【００４５】
この場合、反応容器２の各反応室３ａ、３ｂ、３ｃ、３ｄの開口部３０１ａ、３０１ｂ、３０１ｃ、３０１ｄには、保護カバーとして短冊状部材２１が設けられる。この短冊状部材２１には、例えば、片面に粘着剤が塗布されたフッ素樹脂製で粘着性を持つたフィルム（例えば、中興化成工業製のチューコーフロー（商品名））が用いられる。
【００４６】
このような短冊状部材２１は、反応室３ａ、３ｂ、３ｃ、３ｄの開口部３０１ａ、３０１ｂ、３０１ｃ、３０１ｄ上面を覆うように貼り付けるとともに、一方端部を、反応容器２の光ファイバセンサ９と対向する側の側面上に折り曲げ、この折り曲げ部分を、光ファイバセンサ９から照射される光を反射するセンサ検出面２１ａに形成している。
【００４７】
この場合も、使用前の各反応室３ａ、３ｂ、３ｃ、３ｄの開口部３０１ａ、３０１ｂ、３０１ｃ、３０１ｄには、全て短冊状部材２１が貼り付けられている。そして、図示のように、例えば反応室３ｃ、３ｄを反応観察対象として使用するような場合、これら反応室３ｃ、３ｄの開口部３０１ｃ、３０１ｄの短冊状部材２１を剥がすようにする。
【００４８】
このような短冊状部材２１を保護カバーとして使用しても、上述したキャップ５を用いた場合と同様な効果を期待できる。
【００４９】
（第３の実施の形態）
次に、本発明の第３の実施の形態を説明する。
【００５０】
図７は、第３の実施の形態に用いられる反応容器の概略構成を示すもので、図２と同一部分には、同符号を付している。
【００５１】
この場合、反応容器２の上面には、反応室３ａ、３ｂ、３ｃ、３ｄの開口部３０１ａ、３０１ｂ、３０１ｃ、３０１ｄの配列方向に沿って支持軸３１が配置されている。この支持軸３１は、両端を押えブロック３２ａ、３２ｂに固定して支持されている。また、支持軸３１には、保護カバーとしてのカバー板３３ａ、３３ｂ、３３ｃ、３３ｄが反応室３ａ、３ｂ、３ｃ、３ｄの配列ピッチと同じ間隔で取り付けられている。
【００５２】
これらカバー板３３ａ、３３ｂ、３３ｃ、３３ｄは、支持軸３１に対して独立して回動自在に支持されており、この回動により開口部３０１ａ、３０１ｂ、３０１ｃ、３０１ｄを開閉操作できるようになっている。また、カバー板３３ａ、３３ｂ、３３ｃ、３３ｄの先端面は、開口部３０１ａ、３０１ｂ、３０１ｃ、３０１ｄを閉じた状態で、光ファイバセンサ９から照射される光を反射するセンサ検出面３４ａ、３４ｂ、３４ｃ、３４ｄに形成している。
【００５３】
そして、図示のように、例えば反応室３ｄを反応観察対象として使用するような場合、この反応室３ｄに対応するカバー板３３ｄを支持軸３１中心に回動させて開口部３０１ｄ上方から取り除くようにする。
【００５４】
このような構成とすれば、保護カバーは着脱することなく、カバー板３３ａ、３３ｂ、３３ｃ、３３ｄを各別に回動させるのみで、反応室３ａ、３ｂ、３ｃ、３ｄの開口部３０１ａ、３０１ｂ、３０１ｃ、３０１ｄを開閉することができるので、一部の反応室を使用した後に、再度他の反応室を使うような場合（例えば、反応室３ａ、３ｂ、３ｃを使用した後で、改めて反応室３ｄを使用するような場合）にも、カバー板３３ａ、３３ｂ、３３ｃ、３３ｄの紛失を気にすることなく、簡単に何回でも繰り返して使用することができる。
【００５５】
（第４の実施の形態）
次に、本発明の第４の実施の形態を説明する。
【００５６】
図８は、第４の実施の形態に用いられる反応容器の概略構成を示すもので、図２と同一部分には、同符号を付している。
【００５７】
この場合、反応容器２の反応室３ａ、３ｂ、３ｃ、３ｄの各開口部３０１ａ、３０１ｂ、３０１ｃ、３０１ｄには、保護カバーとしてスライドカバー４１ａ、４１ｂ、４１ｃ、４１ｄが各別に設けられ、これらスライドカバー４１ａ、４１ｂ、４１ｃ、４１ｄをスライド操作するのみで、反応室３ａ、３ｂ、３ｃ、３ｄの開口部３０１ａ、３０１ｂ、３０１ｃ、３０１ｄを開閉することができるようにしている。
【００５８】
図９（ａ）（ｂ）は、このようなスライドカバー４１ａ（４１ｂ、４１ｃ、４１ｄ）を詳細に説明するもので、反応容器２の上板２０１の内部には、反応室３ａ（３ｂ、３ｃ、３ｄ）の開口部３０１ａ（３０１ｂ、３０１ｃ、３０１ｄ）の上端近傍には、開口部３０１ａ、３０１ｂ、３０１ｃ、３０１ｄの配列方向と直交する方向に沿ってガイド溝４２ａ（４２ｂ、４２ｃ、４２ｄ）が形成されている。
【００５９】
これらガイド溝４２ａ（４２ｂ、４２ｃ、４２ｄ）には、スライドカバー４１ａ（４１ｂ、４１ｃ、４１ｄ）がスライド可能に取り付けられている。
【００６０】
スライドカバー４１ａ（４１ｂ、４１ｃ、４１ｄ）には、つまみ部４３ａ（４３ｂ、４３ｃ、４３ｄ）が設けられている。これらつまみ部４３ａ（４３ｂ、４３ｃ、４３ｄ）は、上板２０１の上部より僅かに突出しており、このつまみ部４３ａ（４３ｂ、４３ｃ、４３ｄ）をスライド操作することにより、スライドカバー４１ａ（４１ｂ、４１ｃ、４１ｄ）により反応室３ａ（３ｂ、３ｃ、３ｄ）の開口部３０１ａ（３０１ｂ、３０１ｃ、３０１ｄ）を開閉できるようになっている。
【００６１】
スライドカバー４１ａ（４１ｂ、４１ｃ、４１ｄ）の端面は、開口部３０１ａ（３０１ｂ、３０１ｃ、３０１ｄ）を閉じた状態で、光ファイバセンサ９から照射される光を反射するセンサ検出面４４ａ（４４ｂ、４４ｃ、４４ｄ）に形成している。
【００６２】
このような構成としても、保護カバーは着脱することなく、スライドカバー４１ａ４１ｂ、４１ｃ、４１ｄをスライド操作するのみで、反応室３ａ、３ｂ、３ｃ、３ｄの開口部３０１ａ、３０１ｂ、３０１ｃ、３０１ｄを開閉することができるので、第３の実施の形態で述べたと同様な効果を期待することができる。
【００６３】
なお、上述した実施の形態においては、特表２０００−５１５２５１号公報に示されたようなＤＮＡチップについて述べたが、用いるＤＮＡチップの基板の材質には、制限はなく、スライドガラスやＳｉウェハなどの非多孔質基板も適用できる。また、本実施の形態においては、多孔質基板であれば、接続口（３０２）を用いて溶液を流動できるので、反応を促進可能であり、特に、効果を有する。
【００６４】
その他、本発明は、上記実施の形態に限定されるものでなく、実施段階では、その要旨を変更しない範囲で種々変形することが可能である。
【００６５】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【００６６】
【発明の効果】
以上述べたように本発明によれば、異物の進入を確実に防止できるとともに、反応観察対象となる反応室を確実に確認し、反応観察位置に位置決めさせることができるＤＮＡチップ反応容器およびＤＮＡチップ読み取り装置を提供できる。
【図面の簡単な説明】
【図１】本発明の第１の実施の形態の概略構成を示す図。
【図２】第１の実施の形態に用いられる反応容器の概略構成を示す図。
【図３】第１の実施の形態に用いられる反応容器の横断面を示す図。
【図４】第１の実施の形態に用いられるキャップの概略構成を示す図。
【図５】第１の実施の形態の要部を説明するための図。
【図６】本発明の第２の実施の形態に用いられる反応容器の概略構成を示す図。
【図７】本発明の第３の実施の形態に用いられる反応容器の概略構成を示す図。
【図８】本発明の第４の実施の形態に用いられる反応容器の概略構成を示す図。
【図９】第４の実施の形態に用いられる反応容器の要部を説明するための図。
【図１０】従来のＤＮＡチップ読み取り装置の一例を示す図。
【符号の説明】
１…ステージ
１ａ…固定板
１ｂ…Ｙ移動板
１ｃ…Ｘ移動板
２…反応容器
２０１…上板
２０１ａ〜２０１ｄ…孔部
２０２…下板
２０２ａ〜２０２ｄ…孔部
３ａ〜３ｄ…反応室
３０１ａ〜３０１ｄ…開口部
３０２ａ〜３０２ｄ…接続口
４…ＤＮＡチップ
４ａ〜４ｄ…反応部
５…キャップ
５ａ…嵌合部
５ｂ…カバー部
５ｃ…センサ検出面
６…蛍光検出ユニット
７…対物レンズ
７ａ…光軸
８…演算ユニット
９…光ファイバセンサ
９ａ…センサ本体
９ｂ…保持具
１０…センサ制御ユニット
１１…モータコントローラ
１２…Ｙ移動板駆動用モータ
１３…Ｘ移動板駆動用モータ
１４…検体
２１…短冊状部材
２１ａ…センサ検出面
３１…支持軸
３２ａ．３２ｂ…押えブロック
３３ａ〜３３ｄ…カバー板
３４ａ〜３４ｄ…センサ検出面
４１ａ〜４１ｄ…スライドカバー
４２ａ〜４２ｄ…ガイド溝
４３ａ〜４３ｄ…つまみ部
４４ａ〜４４ｄ…センサ検出面
【図１】
2004020281.tif 000003
【図２】
2004020281.tif 000004
【図３】
2004020281.tif 000005
【図４】
2004020281.tif 000006
【図５】
2004020281.tif 000007
【図６】
2004020281.tif 000008
【図７】
2004020281.tif 000009
【図８】
2004020281.tif 000010
【図９】
2004020281.tif 000011
【図１０】
2004020281.tif 000012